(57)【要約】      （修正有）【課題】要介護者が自力にて室内や健常者用トイレ、浴室まで自由に利用でき、単純移動ではなく、３６０度広範囲に移動する事を可能とした住宅構造及び吊り上げ手法を提供する。【解決手段】歩行用であり前後に移動可能な要介護者を吊り下げる器具をセットしたレール両サイドの先端を、このレールに垂直に交わる方向に対向する壁面上部である天井付近に配設されたガイド用レール３１、３２にセットする事により、前後のみならず左右への移動が可能となり、要介護者が天井付近に配設された一対以上のガイド用レールの範囲内を単純移動ではなく、３６０度広範囲に移動する事が可能となる。【選択図】図５
2012011161.tif 000002
【特許請求の範囲】
【請求項１】
ワンフロアーの対向する壁面上部である天井付近に一対以上のガイド用レールを設け、このガイド用レールに垂直に交わる方向へ、歩行用であり前後に移動可能な要介護者を吊り下げる器具をセットしたレールをかけ、要介護者が天井付近に配設された一対以上のガイド用レールの範囲内を単純移動ではなく、３６０度広範囲に移動する事を可能とした事が特徴である住宅構造及び吊り上げ手法。
【請求項２】
ワンフロアーの対向する壁面上部である天井付近に設けた一対以上のガイド用レールにて囲まれた範囲内の健常者用トイレ、浴室、居室天井付近界壁で、ガイド用レールに垂直に交わる要介護者を吊り下げる器具をセットしたレール下部高さより上部天井方向へ開口部を設けた事を特徴とする住宅構造及び吊り上げ手法。
【発明の詳細な説明】
【技術分野】
【０００１】  本発明は、主に介護やリハビリ専用住宅、または居室等に用いられ、要介護者が自由に自力にて単純移動ではなく、３６０度広範囲に移動する事が可能である住宅構造及び吊り上げ手法に関する。
【背景技術】
【０００２】  図１の従来例歩行訓練器具１０はフレーム１３を吊り上げた歩行用トロリー１１をレール１２に取付け、前後一方向に駆動でき、常時決まった通路しか移動しない事務作業等への応用等が考えられていた。（例えば、特許文献１参照。）また、図２の移動用リフト２０は支柱２３間に配設されたレール２２にシート２４を吊り上げた従来例トロリ２１をセットし、狭い範囲でベッドから車椅子やポータブルトイレへの移動、浴室で浴槽への移動用として利用されていた。その他、シートに腰掛け吊り上げたまま床走行可能な電動介護リフトがある。（例えば、非特許文献１参照。）
【先行技術文献】
【特許文献】
【０００３】
【特許文献１】  特許３２９２６４８
【非特許文献】
【０００４】
【非特許文献１】  「グリーンカタログＶＯＬ、１２」、社団法人シルバーサービス振興会
【発明の概要】
【発明が解決しようとする課題】
【０００５】  従来例の介護やリハビリ専用住宅は介護ベッド、簡易トイレ、手すり、室内用車椅子、及び歩行訓練器具が配設されていた。要介護者は、怪我や病気等により殆ど介護ベッドに寝たきりの状態にて時を過ごす為、益々自力での簡易トイレや車椅子の使用が容易でなくなり、介護師等の介助が必要であった。要介護者の自尊心を傷つけない為にもトイレや入浴、歩行訓練等が介助なしに行なえる事が可能なシステム住宅や居室が必要である大きな問題があった。【０００６】  本発明は、このような不具合を解消する為になされたものであり、要介護者が自力にて室内や健常者用トイレ、浴室まで自由に利用できる、単純移動ではなく、３６０度広範囲に移動する事を可能とした事が特徴である住宅構造及び吊り上げ手法の提供を目的とするものである。
【課題を解決するための手段】
【０００７】  上記不具合を解決するために、本発明は次のような構成としている。
請求項１に記載した住宅構造及び吊り上げ手法は、歩行用であり前後に移動可能な要介護者を吊り下げる器具をセットしたレールの両サイド先端を、このレールに垂直に交わる方向に対向する壁面上部である天井付近に配設されたガイド用レールにセットする事により、前後のみならず左右への移動が可能となり要介護者が天井付近に配設された一対以上のガイド用レールの範囲内を単純移動ではなく、３６０度広範囲に移動できる事を可能としたことが特徴である。【０００８】  請求項２に記載した住宅構造及び吊り上げ手法は、要介護者が天井付近に配設された一対以上のガイド用レールの範囲内を単純移動ではなく、３６０度広範囲に移動する事を可能とする為、ガイド用レールにて囲まれた範囲内の健常者用トイレ、浴室、居室天井付近界壁に於いて、要介護者を吊り下げる器具をセットしたレールと接触する位置より上部に開口部を配設した。【０００９】  要介護者を吊り下げる器具は、歩行用であり前後に移動可能でとし、３６０度回転可能なシャフト軸を有し、予め取付けた背部が肩より腰まで一体化したつり具の腰部止め用ベルト及び胸部止め用ベルトにて要介護者の全体重を支える事が出来た為、健常者用トイレ利用時は吊り下がった状態のまま下着を外し済ます事が出来た。また、入浴時では胸部止め用ベルトを一時的に解除し、自力にて下着を外した後、入浴が可能となることを特徴とする。
【発明の効果】
【００１０】  以上説明したように本発明によれば、歩行用であり前後に移動可能な要介護者を吊り下げる器具をセットしたレール両サイドの先端を、このレールに垂直に交わる方向に対向する壁面上部である天井付近に配設されたガイド用レールにセットする事により、前後のみならず左右への移動が可能となり、要介護者が天井付近に配設された一対以上のガイド用レールの範囲内を単純移動ではなく、３６０度広範囲に移動する事が可能となり、要介護者は自力にて室内や健常者用トイレ、浴室まで自由な利用が可能となる効果を発揮する事ができた。
【図面の簡単な説明】
【００１１】
【図１】図１は従来例の特許３２９２６４８歩行訓練器具の立面図
【図２】図２は従来例の〔非特許文献１〕「グリーンカタログＶＯＬ、１２」、（社団法人シルバーサービス振興会）アーチパートナーを示す透視図
【図３】図３は本発明のシステムを示す平面図
【図４】図４は本発明平面図３のＡ−Ａ断面図
【図５】図５は本発明平面図３の透視図
【発明を実施するための形態】
【００１２】  歩行用であり前後に移動可能な要介護者を吊り下げる器具をセットしたレール両サイドの先端を、このレールに垂直に交わる方向に対向する壁面上部である天井付近に配設されたガイド用レールにセットした。
【００１３】  以下、本発明の実施の形態を図３〜図５に基づいて説明する。
【００１４】  本発明の実施例について、図面を参照して説明する。図３は本発明のシステムを示す平面図。図４は本発明平面図３のＡ−Ａ断面図。図５は本発明平面図３の透視図。
【００１５】  図３で示すように、本発明の介護リハビリ住宅システムは部屋、健常者用トイレ、浴室、玄関等を囲んだ天井付近に配設された一対以上のガイド用レール３１と３１とのスパン間にガイド用レール３１に垂直に交わる方向へレール３２が配設され、一対以上のガイド用レールの範囲内を単純移動ではなく、３６０度広範囲に移動する事が可能となり、要介護者は自力にて室内や健常者用トイレ、浴室まで自由な利用が可能となる効果を発揮する事ができた。更に図４、図５にて詳細に説明する。
【００１６】  図４に於いて本発明平面図３のＡ−Ａ断面図４０は、天井付近に配設された一対以上のガイド用レール３１と３１とのスパン間に、ガイド用レール３１に垂直に交わる方向へレール３２が配設されている。また、ガイド用レール３１のセットや、レール３２の可動に必要な空間である本発明開口部３３を配設している。
【００１７】  図５は本発明平面図３の透視図５０である。歩行用であり前後に移動可能な要介護者を吊り下げる器具をセットしたレール３２の両サイド先端を、このレールに垂直に交わる方向に対向する壁面上部である天井付近に配設されたガイド用レール３１にセットする事により、前後のみならず左右への移動が可能となり、要介護者が天井付近に配設された一対以上のガイド用レール３１スパンの範囲内を単純移動ではなく、３６０度広範囲に移動する事が可能となり、要介護者は自力にて室内や健常者用トイレ、浴室まで自由な利用が可能となる為、自尊心を傷つけられることが無い。また、リハビリの効果も発揮する事ができた。
【符号の説明】
【００１８】１０    従来例の特許３２９２６４８歩行訓練器具
１１    従来例歩行用トロリ
１２    レール
１３    フレーム
２０    従来例移動用リフト
２１    従来例トロリ
２２    レール
２３    支柱
２４    シート
３０    本発明のシステムを示す平面図
３１    本発明ガイド用レール
３２    本発明レール
３３    本発明開口部
４０    本発明平面図３のＡ−Ａ断面図
５０    本発明平面図３の透視図
【図１】
2012011161.tif 000003
【図２】
2012011161.tif 000004
【図３】
2012011161.tif 000005
【図４】
2012011161.tif 000006
【図５】
2012011161.tif 000007